(57)【要約】【課題】最終的な結果確認を音声案内にて行うことができるとともに、操作部画面が見づらい位置にいる場合や目の不自由な人が作業する際にも、音声案内によって正しく案内することができる画像形成装置を提供することである。【解決手段】原稿から画像を読み取って画像データを得る画像読取部と、画像データに基づいて用紙に画像を形成する画像形成部と、ユーザに情報表示するとともにユーザが操作指示を入力する表示操作部と、ユーザが操作指示を入力する操作部と、画像形成装置の動作に関するモードの設定を行うモード設定手段と、画像形成装置の動作を制御する制御手段とを有する画像形成装置において、前記モードの設定の終了を検出する設定終了確認手段と、音声出力する音声出力手段とをさらに有し、前記制御手段が、前記設定終了確認手段によってモード設定終了を検出した場合に、現在設定されているモードの案内を前記音声出力手段によって音声出力することを特徴とする。【選択図】  図２
2004170653.tif 000002
【特許請求の範囲】
【請求項１】
原稿から画像を読み取って画像データを得る画像読取部と、画像データに基づいて用紙に画像を形成する画像形成部と、ユーザに情報表示するとともにユーザが操作指示を入力する表示操作部と、ユーザが操作指示を入力する操作部と、画像形成装置の動作に関するモードの設定を行うモード設定手段と、画像形成装置の動作を制御する制御手段とを有する画像形成装置において、
前記モードの設定の終了を検出する設定終了確認手段と、音声出力する音声出力手段とをさらに有し、
前記制御手段が、前記設定終了確認手段によってモード設定終了を検出した場合に、現在設定されているモードの案内を前記音声出力手段によって音声出力する
ことを特徴とする画像形成装置。
【請求項２】
前記表示操作部および前記操作部が押下を検出可能な釦を有し、
前記表示操作部または前記操作部内の押下された釦に応じて異なる音階の音を発する音階発生手段をさらに有する
ことを特徴とする請求項１に記載の画像形成装置。
【請求項３】
前記設定終了確認手段が、前記操作部に設けられた設定確認釦であることを特徴とする請求項１に記載の画像形成装置。
【請求項４】
前記設定終了確認手段が、前記操作部に設けられた、コピー動作を開始するためのコピー釦であり、
前記制御手段が、前記コピー釦が１度押下されると現在設定されているモードの案内を前記音声出力手段によって音声出力し、前記コピー釦の２度目の押下によってコピー動作を開始するよう制御する
ことを特徴とする請求項１に記載の画像形成装置。
【請求項５】
原稿から画像を読み取って画像データを得る画像読取部と、画像データに基づいて用紙に画像を形成する画像形成部と、画像形成装置の動作を制御する制御手段とを有する画像形成装置において、
ユーザが画像形成装置に対して所定の距離まで近づいたことを検出する領域監視手段と、音声出力する音声出力手段とをさらに有し、
前記制御手段が、前記領域監視手段によってユーザが画像形成装置に対して所定の距離まで近づいたことを検出した場合に、現在の動作状況の案内を前記音声出力手段によって音声出力する
ことを特徴とする画像形成装置。
【請求項６】
原稿から画像を読み取って画像データを得る画像読取部と、画像データに基づいて用紙に画像を形成する画像形成部と、画像形成装置の動作を制御する制御手段とを有する画像形成装置において、
画像形成装置内で発生するエラーを検出するエラー検出手段と、音声出力する音声出力手段とをさらに有し、
前記制御手段が、前記エラー検出手段によってエラー検出した場合、該エラーへの対処方法の案内を前記音声出力手段によって音声出力する
ことを特徴とする画像形成装置。
【請求項７】
前記制御手段が、前記音声出力手段によって音声出力した該エラーへの対処方法が正しく行われた場合に、次に行うべき対処方法の案内を前記音声出力手段によって音声出力する
ことを特徴とする請求項６に記載の画像形成装置。
【請求項８】
前記エラーがＪＡＭであることを特徴とする請求項６または７に記載の画像形成装置。
【発明の詳細な説明】
【０００１】
【発明の属する技術分野】
本発明は、たとえば電子写真方式により用紙に画像形成する画像形成装置に関する。
【０００２】
【従来の技術】
一様に帯電させた感光体の感光層に光を当てて潜像を形成し、この感光層にトナーを付着させて現像し、これを用紙に転写して画像形成を行うディジタル複写機等の電子写真方式の画像形成装置がよく知られている。
【０００３】
このような画像形成装置によって画像形成を行う場合などの操作は、その画像形成装置に設けられた表示操作部を用いてユーザが操作、入力することによって行われる。
【０００４】
特許文献１には、電子機器類の音声案内装置であって、電子機器類の操作説明や機能説明等や運転中の設定内容やエラー発生等の音声案内する事項を、基本的重要事項と、個別的案内・対処的事項とに分けることによって、使用者の要求に応じた音声案内を行う装置が開示されている。
【０００５】
【特許文献１】
特開２００２−４１２７８号公報
【発明が解決しようとする課題】
ところが、特許文献１に記載の電子機器類の音声案内装置では、その音声案内する内容が操作過程に関するものであり、最終的な結果確認を音声案内することはできないという問題があった。
【０００６】
また従来の画像形成装置の表示操作部においては、操作部画面のＬＣＤ上に各種モードの設定状況等を表示しているが、各種設定内容の情報が表示画面上に分散しており分かり難いという問題もあった。
【０００７】
また従来の画像形成装置では、操作案内等を操作部画面上に表示するのみのものであるため、たとえば画像形成装置内に詰まってしまった紙を取り除くＪＡＭ処理等の作業を行う際には操作部画面が見づらい位置で作業する場合もあり、操作部画面上のみ情報では正しく処理できているか判断することができないという問題もあった。
【０００８】
また従来の画像形成装置では、操作案内等を操作部画面上に表示するのみのものであるため、目の不自由な人にとって操作が正しくできているか、操作可能であるか判断することができないという問題もあった。
【０００９】
本発明は上記の点にかんがみてなされたもので、最終的な結果確認を音声案内にて行うことができるとともに、操作部画面が見づらい位置にいる場合や目の不自由な人が作業する際にも、音声案内によって正しく案内することができる画像形成装置を提供することを目的とする。
【００１０】
【課題を解決するための手段】
本発明は上記の目的を達成するために、原稿から画像を読み取って画像データを得る画像読取部と、画像データに基づいて用紙に画像を形成する画像形成部と、ユーザに情報表示するとともにユーザが操作指示を入力する表示操作部と、ユーザが操作指示を入力する操作部と、画像形成装置の動作に関するモードの設定を行うモード設定手段と、画像形成装置の動作を制御する制御手段とを有する画像形成装置において、前記モードの設定の終了を検出する設定終了確認手段と、音声出力する音声出力手段とをさらに有し、前記制御手段が、前記設定終了確認手段によってモード設定終了を検出した場合に、現在設定されているモードの案内を前記音声出力手段によって音声出力することを特徴とする。
【００１１】
また本発明は、請求項１に記載の発明において、前記表示操作部および前記操作部が押下を検出可能な釦を有し、前記表示操作部または前記操作部内の押下された釦に応じて異なる音階の音を発する音階発生手段をさらに有することを特徴とする。
【００１２】
また本発明は、請求項１に記載の発明において、前記設定終了確認手段が、前記操作部に設けられた設定確認釦であることを特徴とする。
【００１３】
また本発明は、請求項１に記載の発明において、前記設定終了確認手段が、前記操作部に設けられた、コピー動作を開始するためのコピー釦であり、前記制御手段が、前記コピー釦が１度押下されると現在設定されているモードの案内を前記音声出力手段によって音声出力し、前記コピー釦の２度目の押下によってコピー動作を開始するよう制御することを特徴とする。
【００１４】
また本発明は、原稿から画像を読み取って画像データを得る画像読取部と、画像データに基づいて用紙に画像を形成する画像形成部と、画像形成装置の動作を制御する制御手段とを有する画像形成装置において、ユーザが画像形成装置に対して所定の距離まで近づいたことを検出する領域監視手段と、音声出力する音声出力手段とをさらに有し、前記制御手段が、前記領域監視手段によってユーザが画像形成装置に対して所定の距離まで近づいたことを検出した場合に、現在の動作状況の案内を前記音声出力手段によって音声出力することを特徴とする。
【００１５】
また本発明は、原稿から画像を読み取って画像データを得る画像読取部と、画像データに基づいて用紙に画像を形成する画像形成部と、画像形成装置の動作を制御する制御手段とを有する画像形成装置において、画像形成装置内で発生するエラーを検出するエラー検出手段と、音声出力する音声出力手段とをさらに有し、前記制御手段が、前記エラー検出手段によってエラー検出した場合、該エラーへの対処方法の案内を前記音声出力手段によって音声出力することを特徴とする。
【００１６】
また本発明は、請求項６に記載の発明において、前記制御手段が、前記音声出力手段によって音声出力した該エラーへの対処方法が正しく行われた場合に、次に行うべき対処方法の案内を前記音声出力手段によって音声出力することを特徴とする。
【００１７】
また本発明は、請求項６または７に記載の発明において、前記エラーがＪＡＭであることを特徴とする。
【００１８】
【発明の実施の形態】
以下、本発明の実施の形態を図面を参照して説明する。
【００１９】
図１は、本発明による画像形成装置の一実施の形態の構成を示す概略断面図である。本実施の形態では画像形成装置として電子写真方式の複写機を例に挙げて説明する。
【００２０】
ここで、図１を参照して本実施の形態による画像形成装置１００の構成および基本動作について説明する。
【００２１】
ユーザが画像形成装置１００に設けられた後述の表示操作部を操作し、コピーの指示を入力すると、自動原稿搬送部１の原稿給紙台１１に画像面を上向きにして載置され原稿は、送り出しローラ１２の動作により１枚ずつ送り出され、レジストローラ１３により一旦停止されて先端が整えられた後、搬送ドラム１４に搬送され、搬送ドラム１４の面に沿って一体になり、搬送ドラム１４が反時計方向に回転する過程で画像読取部２によって画像面の読み取りが行われ、しかる後、ほぼ半周した位置においてドラム面より分岐し排紙台１５に排出される。また、両面読取においては、読取後の原稿を表裏反転し、搬送ドラム１４によって再度搬送して裏面読取を行う。
【００２２】
画像読取部２においては、光源２３ａとミラー２３ｂとを備える第１ミラーユニット２３が、前記搬送ドラム１４の真下の位置で、通過する原稿を順次照明して読み取り、原稿の移動方向に直交するように配置したミラー２４ａとミラー２４ｂとを備える第２ミラーユニット２４により反射し、結像レンズ２５を介してライン状の撮像素子２６に結像して画像情報を得る。また、この画像形成装置１００は、静止原稿台２７に原稿を載置し、前記ミラーユニット２３、２４が移動して読み取る機能も備えている。
【００２３】
画像読取部２において読み取られた原稿画像の画像情報は画像処理装置により画像処理が行われ画像情報として一旦メモリに格納される。
【００２４】
画像形成部３においては、画像情報がメモリより読み出されて露光装置３３に入力し、図示していないレーザ発光器から画像情報に従って変調されたレーザビームがポリゴンミラーの回転作動によって感光層を有する感光体ドラム３１に対する主走査露光を行う。帯電装置３２により前もって帯電電位を付与された感光体ドラム３１の軸方向のポリゴンミラーによる主走査と感光体ドラム３１の回転による副走査とが行われて感光体ドラム３１の感光層に静電潜像を形成する。その後、この静電潜像は現像装置４０で現像剤により反転現像されてトナー像とされる。
【００２５】
これに平行して用紙給紙装置５として、手差し給紙トレイ１９または用紙を収容する本体給紙トレイ７から画像を形成するための用紙が給紙される。本体給紙トレイ７はたとえば７ａ、７ｂ、７ｃの３段を有し、各給紙ローラ５１Ａ、５１Ｂ、５１Ｃのいずれかが作動して用紙を搬出し、搬送ローラ５５、レジストローラ５６および搬送ローラ３９に給送されて、感光体ドラム３１上のトナー像に同期して感光体ドラム３１に給紙される。
【００２６】
用紙が貼りついた状態の感光体ドラム３１は、転写装置３５からの放電を受けるとともに除電ランプ（ＴＳＬ）４１からの光の照射を受け、これによって感光体ドラム３１上のトナー像は用紙側に転移して転写され、トナー像が転写された用紙は、分離装置３６において除電されて感光体ドラム３１から分離し、搬送ベルトを介して定着装置３８に搬送され、ヒーター３８ｃを有しこれによって加熱された定着用ローラ３８ｂと定着用ローラ３８ａとの間を通過する際に加熱圧着され、これによってトナーが定着され、排出部６の定着排紙ローラ６１より排紙され、排紙トレイ６４に排出される。
【００２７】
一方、用紙が分離されるとともに残留電位を除電された感光体ドラム３１はクリーニング装置３７において残留トナーを除去、清掃されて次なる画像形成のプロセスに入れるよう画像形成装置１００は構成されていて、すべての制御は制御手段としてのＣＰＵにおいて行われる。
【００２８】
図２は、図１に示した画像形成装置１００の制御に関する構成を示すブロック図である。
【００２９】
図２に示すように、画像形成装置１００は、全体の制御を行う制御手段１０１と、原稿から画像を読み取る画像読取部２と、たとえば紙などの画像形成用紙に画像を形成する画像形成部３と、画像読取部２によって読み取った画像データやそのほか、制御手段１０１で実行するプログラム、ディジタル複写機１００の動作に必要なパラメータ等を記憶する記憶手段１０２と、ディジタル複写機１００からユーザに対して情報表示したり、ユーザがディジタル複写機１００に対する操作、指示等を入力する操作手段１０３と、ユーザに対する案内等を音声出力する音声出力手段１０４と、ユーザが画像形成装置１００に対して所定の距離まで近づいたことを検出する領域監視手段１０５と、画像形成装置１００内の紙詰まり状態を検出するＪＡＭ検出手段１０６とを有して構成される。
【００３０】
なお、ここでＪＡＭは、画像形成装置１００で発生する様々なエラーの一例であり、ＪＡＭ検出手段１０６はこの様々なエラーを検出するエラー検出手段の一例である。
【００３１】
操作手段１０３は、後述のタッチパネル式の表示操作部１０３ａと固定ボタン式の操作部１０３ｂとを有して構成される。
【００３２】
図３は、図２に示した操作手段１０３内の表示操作部１０３ａおよび操作部１０３ｂの構成の一例を示す図である。
【００３３】
図３に示すように、表示操作部１０３ａは、タッチパネル式のＬＣＤ画面で構成され、表示内容をに応じてその表示された釦位置をユーザが押したり、触れたりすることによってその表示されている内容を選択、入力することができる。
【００３４】
また、操作部１０３ｂには、複数の固定釦が設けられ、その中には後述の設定確認釦１０３ｃやコピー釦１０３ｄも設けられている。
【００３５】
図４は、図３に示した操作手段１０３内の表示操作部１０３ａの構成の一例を示す図である。
【００３６】
図４に示すように、表示操作部１０３ａは、ディジタル複写機１００をユーザが操作するための操作内容の名称を表示し、その表示された釦位置をユーザが押したり、触れたりすることによってその表示されている内容を選択、入力することができる入力部を有している。
【００３７】
たとえば図４では、釦１０３ｅは、両面印刷された原稿の画像を読み取って画像形成用紙に片面印刷するモードを選択する釦であり、釦１０３ｆは、使用する画像形成用紙を１段目のトレイに収納されたＡ３サイズの再生紙とするモードを選択する釦であり、釦１０３ｇは、画像形成装置の基本機能以外の応用機能たとえば原稿から読み取った画像に様々な画像処理を施した上で画像形成するモードを選択する釦である。
【００３８】
制御手段１０１では押下された釦に応じたモードにてコピー動作を行うよう制御する。本実施の形態ではこれがモード設定手段である。
【００３９】
本実施の形態の画像形成装置１００では、たとえば記憶手段１０２に、操作手段１０３の表示操作部１０３ａ内の各釦が押された場合に音声出力するべき内容に関する情報を記憶しておき、表示操作部１０３ａ内の各釦が押された場合に、制御手段１０１ではどの釦が押下されたかの情報を得て、これに基づいて音声出力するべき内容に関する情報を記憶手段１０２から読み出して、これに基づいて音声出力手段１０４を制御して音声出力を行う。
【００４０】
たとえば、釦１０３ｅが押された場合には「原稿両面読込み、片面出力」と音声出力し、釦１０３ｆが押された場合には「１段目、用紙Ａ３、再生紙」と音声出力し、釦１０３ｇが押された場合には「応用機能を選択」と音声出力することによって音声案内を行う。音声案内する対象の釦は、表示操作部１０３ａ内の釦に限られず、操作部１０３ｂに設けられた固定釦であってもかまわない。
【００４１】
ユーザはこのような音声案内にしたがってモード設定を行い、設定終了後に図３に示した設定確認釦１０３ｃを押下する。これによって制御手段１０１では設定を確定するとともに現在の設定状態を音声案内する。その後、ユーザがコピー釦１０３ｄを押下すると、現在の設定状態でコピーを実行する。本実施の形態では設定確認釦１０３ｃの押下の検出が設定終了確認手段である。
【００４２】
なお、設定確認釦１０３ｃはすべての設定が完了したときに押すものでもよいし、１つの設定ごとに押してその都度確定、確認ができるようにしてもよい。
【００４３】
また、設定確認釦１０３ｃを設けずに他の釦が設定確認釦１０３ｃの代わりを果たすように構成してもよい。たとえばコピー釦１０３ｄが設定確認釦１０３ｃの代わりを果たすようにし、ユーザが設定終了後にコピー釦１０３ｄを押すと設定を確定するとともに現在の設定状態を音声案内し、その後、もう一度コピー釦１０３ｄを押下すると、現在の設定状態でコピーを実行するようにしてもよい。
【００４４】
また、上述の実施の形態では、表示操作部１０３ａや操作部１０３ｂに設けられた釦をユーザが押下したとき、その釦に割り当てられた機能を音声案内するようにしたが、本発明はこれに限らず、押下する場所に応じて異なる音階の音を発する音階発生手段を有し、これによって押下した場所をユーザに案内するものであってもかまわない。
【００４５】
次に、本実施の形態による画像形成装置１００に対してユーザが所定の距離まで近づいた場合の動作について説明する。
【００４６】
図５は、画像形成装置１００に対してユーザが所定の距離まで近づいた場合の動作について説明する図である。
【００４７】
画像形成装置１００は、図２に示したように、ユーザが画像形成装置１００に対して所定の距離まで近づいたことを検出する領域監視手段１０５を有する。
【００４８】
この領域監視手段１０５は、たとえばユーザの体温による赤外線を検出することによってユーザが近づいたことを検出するものであってもよいし、ユーザが送信機を携帯し、ユーザが手動で送信機から電波や赤外線等を送信し、これを領域監視手段１０５が受信してユーザが近づいたことを検出するものであってもよいし、ユーザが携帯する送信機が自動で電波や赤外線等を送信し、これを領域監視手段１０５が受信してユーザが近づいたことを検出するものであってもよい。
【００４９】
この送信機としては、リモコン送信機のほか、携帯電話機などであってもかまわない。
【００５０】
このように領域監視手段１０５は、電波等を受信することによってユーザが監視領域内に近づいたことを検出し、その旨を制御手段１０１に通知する。この通知を受けた制御手段１０１では、予め定めたメッセージ（たとえば現在の画像形成装置１００の動作状況や待ち受け状況等を知らせる音声メッセージ（「コピーできます。」、「ウォーミングアップ中です。」、「動作中です。しばらくお待ちください。」など））を出力するよう、音声出力手段１０４を制御する。
【００５１】
次に、本実施の形態による画像形成装置１００においてＪＡＭ（紙詰まり）が発生した場合の動作について説明する。
【００５２】
図６は、画像形成装置１００におけるＪＡＭが発生した場合の動作のフローチャートを示す図である。
【００５３】
画像形成装置１００のコピー動作中または電源ＯＮ時（Ａ−１）に、図７や図８に後述するＪＡＭ検出が行われ（Ａ−２）、ＪＡＭが発生していない場合にはそのまま動作が実行される（Ａ−３）。
【００５４】
ステップ（Ａ−２）においてＪＡＭの発生を検出した場合には、表示操作部１０３ａにＪＡＭ処理表示を行うとともに、音声出力手段１０４によって音声ガイドを行う（Ａ−４）。この音声ガイドとしてはたとえば「▲１▼番の扉を開けて下さい。」などと、紙詰まりを取り除くための最初の動作を音声でガイドする。
【００５５】
次に、ステップ（Ａ−４）で音声ガイドした処理がユーザによってなされたかどうかを判断し（Ａ−５）、ステップ（Ａ−４）で音声ガイドした処理がなされたと判断した場合には、ＪＡＭが解消したかどうかを検出（Ａ−６）し、ＪＡＭが解消した場合にはＪＡＭを解消する処理が終了した旨を表示するとともに音声ガイドで案内する（Ａ−７）。
【００５６】
ステップ（Ａ−６）においてＪＡＭが解消していない場合には、ステップ（Ａ−４）で音声ガイドした処理の次にユーザがすべき処理について表示および音声ガイドを行う（Ａ−８）。この音声ガイドとしてはたとえば「▲２▼番のつまみを右に回してください。」、「▲３▼番のトレイを引き出してください。」などと、紙詰まりを取り除くための次の動作を音声でガイドする。
【００５７】
次に、ステップ（Ａ−８）で音声ガイドした処理がユーザによってなされたかどうかを判断し（Ａ−９）、ステップ（Ａ−８）で音声ガイドした処理がなされたと判断した場合には、ＪＡＭが解消したかどうかを検出（Ａ−１０）し、ＪＡＭが解消した場合にはＪＡＭを解消する処理が終了した旨を表示するとともに音声ガイドで案内する（Ａ−７）。
【００５８】
ステップ（Ａ−１０）においてＪＡＭが解消していない場合には、その状況での対処方法を表示するとともに音声ガイドを出力するとともに、その対処方法の実行がされたかを判断し（Ａ−１１、Ａ−１２）、これを必要に応じて繰り返す。
【００５９】
最終的にＪＡＭ処理が完了（Ａ−１３）したならばＪＡＭを解消する処理が終了した旨を表示するとともに音声ガイドで案内する（Ａ−７）。
【００６０】
図７は、図２に示したＪＡＭ検出手段１０６によるＪＡＭ検出の動作のフローチャートを示す図であり、静止状態（コピー動作中でない状態）でのＪＡＭ検出について示す図である。
【００６１】
まず、画像形成装置１００の電源がＯＮされる（Ｂ−１）と、各手段の動作を確認するために制御手段１０１から各手段への初期通信が行われ（Ｂ−２）、初期通信が完了したならば（Ｂ−３）、画像形成装置１００のカバーやユニット等が動作に必要な所定の状態になっているかどうかを検出し（Ｂ−４）、なっていなければそれを直すよう、オープン状態の処理を行う（Ｂ−５）。たとえば表示操作部１０３ａに所定の状態になっていない箇所がどこであるか等の表示を行うとともに、音声出力手段１０４によってその点についての音声ガイドを行う。
【００６２】
ステップ（Ｂ−４）においてカバーやユニット等が動作に必要な所定の状態になっている場合には、静止ＪＡＭチェックを行い（Ｂ−６）ＪＡＭの有無を検出する。
【００６３】
図８は、図２に示したＪＡＭ検出手段１０６によるＪＡＭ検出の動作のフローチャートを示す図であり、コピー動作中におけるＪＡＭ検出について示す図である。
【００６４】
画像形成装置１００のコピー動作中（Ｃ−１）には、各工程が所定のタイミング動作完了するかを常時監視している（Ｃ−２）。
【００６５】
この監視において所定のタイミングで動作完了した場合には、正常動作中である（Ｃ−３）として、そのまま動作を継続する。
【００６６】
一方、ステップ（Ｃ−２）の監視において所定のタイミングで動作完了しなかった場合にはＪＡＭ発生と判断する（Ｃ−４）。
【００６７】
なお、上述の実施の形態ではＪＡＭが発生したときの対処の仕方を音声案内する例について説明したが、本発明は、ＪＡＭ処理に限らず、画像形成装置で発生する様々なエラーに関してその対処を音声案内することができるものである。
【００６８】
【発明の効果】
以上説明したように、本発明によれば、最終的な結果確認を音声案内にて行うことができるとともに、操作部画面が見づらい位置にいる場合や目の不自由な人が作業する際にも、音声案内によって正しく案内することができる画像形成装置を提供することができる。
【００６９】
すなわち本発明によれば、操作画面ＬＣＤ上で選択する都度、もしくはすべてを選択後に選択した項目を音声案内するため、間違って選択されている場合、視覚的にも聴覚的にも確認することが可能となる。
【００７０】
また、従来は、ＪＡＭ処理等の機械内部の作業を行う際に、操作画面もしくは機械に取り付けられた案内板を頼りに作業するため見えない箇所での作業を行う場合、正確に作業できているか確認することが困難であったが、本発明によれば、画面表示の案内にしたがっても正確に作業できない場合、もしくは作業案内板が見えない場所での作業においても音声を頼りに作業することができる。
【００７１】
また本発明によれば、目の不自由な人が作業する際に、モード選択ごとに操作が正しく判断できているか確認することが可能である。
【図面の簡単な説明】
【図１】本発明による画像形成装置の一実施の形態の構成を示す概略断面図である。
【図２】図１に示した画像形成装置の制御に関する構成を示すブロック図である。
【図３】図２に示した操作手段内の表示操作部および操作部の構成の一例を示す図である。
【図４】図３に示した操作手段内の表示操作部の構成の一例を示す図である。
【図５】画像形成装置に対してユーザが所定の距離まで近づいた場合の動作について説明する図である。
【図６】画像形成装置におけるＪＡＭが発生した場合の動作のフローチャートを示す図である。
【図７】図２に示したＪＡＭ検出手段によるＪＡＭ検出の動作のフローチャートを示す図であり、静止状態（コピー動作中でない状態）でのＪＡＭ検出について示す図である。
【図８】図２に示したＪＡＭ検出手段によるＪＡＭ検出の動作のフローチャートを示す図であり、コピー動作中におけるＪＡＭ検出について示す図である。
【符号の説明】
１  自動原稿搬送部
１１  原稿給紙台
１２  送り出しローラ
１３  レジストローラ
１４  搬送ドラム
１５  排紙台
２  画像読取部
２３ａ  光源
２３ｂ  ミラー
２３  第１ミラーユニット
２４ａ  ミラー
２４ｂ  ミラー
２４  第２ミラーユニット
２５  結像レンズ
２６  撮像素子
２７  静止原稿台
３  画像形成部
３１  感光体ドラム
３２  帯電装置
３３  露光装置
４０  現像装置
５  用紙給紙装置
１９  手差し給紙トレイ
７  本体給紙トレイ
７ａ、７ｂ、７ｃ  本体給紙トレイ
５１Ａ、５１Ｂ、５１Ｃ  給紙ローラ
５５  搬送ローラ
５６  レジストローラ５６
３９  搬送ローラ
３５  転写装置
４１  除電ランプ（ＴＳＬ）
３６  分離装置
３８  定着装置
３８ａ、３８ｂ  定着用ローラ
３８ｃ  ヒーター
６  排出部
６１  定着排紙ローラ
６４  排紙トレイ
３７  クリーニング装置
１００  画像形成装置
１０１  制御手段
１０２  記憶手段
１０３  操作手段
１０３ａ  表示操作部
１０３ｂ  操作部
１０３ｃ  設定確認釦
１０３ｄ  コピー釦
１０３ｅ、１０３ｆ、１０３ｇ  釦
１０４  音声出力手段
１０５  領域監視手段
１０６  ＪＡＭ検出手段
１０７  ユーザ
【図１】
2004170653.tif 000003
【図２】
2004170653.tif 000004
【図３】
2004170653.tif 000005
【図４】
2004170653.tif 000006
【図５】
2004170653.tif 000007
【図６】
2004170653.tif 000008
【図７】
2004170653.tif 000009
【図８】
2004170653.tif 000010